(57)【要約】【課題】バールや金切り鋏等の工具を用いた手口に対しても貨幣処理装置の防盗性を確保すること。【解決手段】外扉２０の内側面にカバー部材４６を開閉可能に設け、カバー部材４６によって覆われる位置に貨幣処理装置３０，３１を配置した自動販売機であって、カバー部材４６が閉成した状態において外扉２０とカバー部材４６との隙間を拡開する方向に外力が加えられた場合に変形し、外扉２０とカバー部材４６との間を相互に係合した状態に維持する係合手段７０を設けている。【選択図】        図１０
2006023930.tif 000002
【特許請求の範囲】
【請求項１】
扉体の内側面にカバー部材を開閉可能に設け、カバー部材によって覆われる位置に貨幣処理装置を配置した自動販売機であって、
カバー部材が閉成した状態において扉体とカバー部材との隙間を拡開する方向に外力が加えられた場合に変形し、扉体とカバー部材との間を相互に係合した状態に維持する係合手段を設けたことを特徴とする自動販売機。
【請求項２】
係合手段は扉体及びカバー部材のそれぞれに係合要素を設けることによって構成したものであり、扉体とカバー部材との隙間を拡開する方向に外力が加えられた場合にカバー部材に設けた係合要素を変形させ、扉体に設けた係合要素に係合させることを特徴とする請求項１に記載の自動販売機。
【請求項３】
カバー部材と係合要素とを一体に形成するとともに、カバー部材と係合要素との境界部分に沿って複数の切欠を連設したことを特徴とする請求項２に記載の自動販売機。
【発明の詳細な説明】
【技術分野】
【０００１】
本発明は、自動販売機に関するものである。
【背景技術】
【０００２】
通常の自動販売機においては、外扉の内側面にコインメックやビルバリデータ等の貨幣処理装置を保持させるようにしており、本体キャビネットに対して外扉を閉成し、かつ施錠した場合に貨幣処理装置への外部からの侵入を阻止して防盗性を確保するようにしている。
【発明の開示】
【発明が解決しようとする課題】
【０００３】
しかしながら、昨今にあっては、バールや金切り鋏等の工具を用いて外扉を無理矢理こじ開ける手口も見受けられるようになってきた。こうした手口の場合には、外扉がこじ開けられた時点で貨幣処理装置が外部に露出することになり、貨幣処理装置から容易に貨幣を盗み取ることが可能となるため、さらなる防盗性の向上が望まれている。
【０００４】
本発明の目的は、上記実情に鑑みて、バールや金切り鋏等の工具を用いた手口に対しても貨幣処理装置の防盗性を確保することのできる自動販売機を提供することにある。
【課題を解決するための手段】
【０００５】
上記の目的を達成するために、本発明の請求項１に係る自動販売機は、扉体の内側面にカバー部材を開閉可能に設け、カバー部材によって覆われる位置に貨幣処理装置を配置した自動販売機であって、カバー部材が閉成した状態において扉体とカバー部材との隙間を拡開する方向に外力が加えられた場合に変形し、扉体とカバー部材との間を相互に係合した状態に維持する係合手段を設けたことを特徴とする。
【０００６】
また、本発明の請求項２に係る自動販売機は、上述した請求項１において、係合手段は扉体及びカバー部材のそれぞれに係合要素を設けることによって構成したものであり、扉体とカバー部材との隙間を拡開する方向に外力が加えられた場合にカバー部材に設けた係合要素を変形させ、扉体に設けた係合要素に係合させることを特徴とする。
【０００７】
また、本発明の請求項３に係る自動販売機は、上述した請求項２において、カバー部材と係合要素とを一体に形成するとともに、カバー部材と係合要素との境界部分に沿って複数の切欠を連設したことを特徴とする。
【発明の効果】
【０００８】
本発明によれば、扉体の内側面に設けた貨幣処理装置がカバー部材によって覆われており、さらに扉体とカバー部材との隙間を拡開する方向に外力が加えられた場合に変形して扉体とカバー部材との間を相互に係合した状態に維持する係合手段を設けているため、バールや金切り鋏等の工具を用いて扉体をこじ開けた場合にも、貨幣処理装置の防盗性を確保することができるようになる。
【発明を実施するための最良の形態】
【０００９】
以下に添付図面を参照して、本発明に係る自動販売機の好適な実施の形態について詳細に説明する。
【００１０】
図１〜図３は、本発明の実施の形態である自動販売機を示したものである。ここで例示する自動販売機は、本体キャビネット１０に収納した缶入り飲料やペットボトル入り飲料等の商品を販売するもので、本体キャビネット１０の前面に外扉２０を備えている。外扉２０は、本体キャビネット１０の前面開口を覆うためのもので、本体キャビネット１０の一側縁部に開閉可能に配設してある。この外扉２０の外側面には、商品見本陳列部２１、商品取出口２２、表示部２３、紙幣投入口２４、硬貨投入口２５等、商品を販売する上で必要となる構成が設けてある。
【００１１】
商品見本陳列部２１は、本体キャビネット１０に収納した商品に対応する商品見本を外部に視認させるためのもので、外側面に窓穴２６を形成するとともに、この窓穴２６を透明の窓板（図示せず）によって覆うことにより構成してある。商品見本陳列部２１の窓板には、商品を選択する際にＯＮ操作される押ボタン２７が商品見本毎に個別に設けてある。
【００１２】
商品取出口２２は、本体キャビネット１０に収納された商品が払い出された場合に、これを外部に取り出すための開口である。
【００１３】
表示部２３は、利用者が投入した貨幣の入金額、釣銭の金額等々、商品を販売する上で必要となる各種情報を外部に表示するためのものであり、例えば液晶表示器によって構成してある。
【００１４】
紙幣投入口２４は、利用者が紙幣を投入するための開口である。この紙幣投入口２４を通じて投入された紙幣は、ビルバリデータと称される紙幣処理装置３０において処理されることになる。紙幣処理装置３０は、紙幣投入口２４を通じて投入された紙幣が正規なものであるか否かを識別し、正規なものとして識別した紙幣を内部に取り込む一方、損傷や偽造等の理由により正規な紙幣として識別できなかった紙幣を返却するものである。また、紙幣処理装置３０は、紙幣が投入された直後に返却レバー２８が操作された場合、これを返却するように機能する。尚、紙幣処理装置３０の紙幣投入口２４は、紙幣を返却する際の紙幣返却口としても機能するように構成してある。
【００１５】
硬貨投入口２５は、利用者が硬貨を投入するための開口である。この硬貨投入口２５を通じて投入された硬貨は、コインメックと称される硬貨処理装置３１において処理されることになる。硬貨処理装置３１は、硬貨投入口２５を通じて投入された硬貨が正規なものであるか否かを識別し、正規なものとして識別した硬貨を内部に取り込む一方、損傷や偽造等の理由により正規なものとして識別できなかった硬貨を返却するものである。また、硬貨処理装置３１は、硬貨が投入された直後に返却レバー２８が操作された場合、これを返却するように機能する。尚、硬貨処理装置３１によって正規なものとして内部に取り込まれた硬貨は、その後、図示していない硬貨回収箱に回収されることになる。また、硬貨投入口２５から投入した硬貨を返却する場合には、外扉２０の下部に設けた硬貨返却口２９を通じて行われる。
【００１６】
図２及び図３に示すように、上述した貨幣を取り扱う紙幣処理装置３０及び硬貨処理装置３１は、外扉２０の内側面に設けた収容ボックス４０の内部に収容させてある。収容ボックス４０は、図４及び図５に示すように、外扉２０の内側面に上方枠部材４１、右側方枠部材４２、左側方枠部材４３及び下方枠部材４４によって構成した矩形状の枠体４５と、この枠体４５の開放端となる開口を閉成するためのカバー部材４６とを備えて構成したものである。
【００１７】
カバー部材４６は、鋼板によって矩形の板状に形成したもので、その一側縁部と右側方枠部材４２との間に設けたヒンジ機構５０により、上下方向に沿った開閉軸回りに回転可能、かつ開閉軸に沿って上方へ移動可能となる態様で右側方枠部材４２に支持させてある。
【００１８】
ヒンジ機構５０は、カバー部材４６において外扉２０の内側面に対向する内側面に取り付けたヒンジプレート５１と、右側方枠部材４２において左側方枠部材４３に対向する内側面に取り付けたヒンジブラケット５２と、これらヒンジプレート５１及びヒンジブラケット５２の間を開閉軸回りに揺動可能、かつ開閉軸に沿ってスライド可能に連結するヒンジ軸５３とを備えて構成したものである。
【００１９】
図５からも明らかなように、カバー部材４６は、その一側縁部が枠体４５の開口を閉成した状態において外扉２０の内側面に向けて直角に屈曲しており、この屈曲部分４６ａの内側面とによって囲まれる内隅部にヒンジプレート５１とヒンジブラケット５２との連結部分であるヒンジ軸５３を収容している。
【００２０】
一方、右側方枠部材４２は、その突出縁部４２ａが一旦カバー部材４６に向けて枠体４５の内方に向けて屈曲した後、カバー部材４６の屈曲部分４６ａに対向する態様で外扉２０の内側面に向けて直角に屈曲しており、カバー部材４６との隙間を減少させるように構成してある。ヒンジブラケット５２には、迂回部分５２ａが設けてある。この迂回部分５２ａは、図６に示すように、カバー部材４６を開成させた場合にも屈曲部分４６ａとの干渉を避けるためのものである。
【００２１】
上述したカバー部材４６には、上方枠部材４１との間に開成規制手段６０が設けてあるとともに、左側方枠部材４３との間に係合手段７０及びロック手段８０が設けてある。
【００２２】
開成規制手段６０は、図７に示すように、カバー部材４６の上縁部４６ｂに規制フック部６１を設ける一方、上方枠部材４１に規制フック係止部６２を設けることによって構成したものである。規制フック部６１は、カバー部材４６の上縁部４６ｂから外扉２０の内側面に向けて延在した後、下方に向けて手前側に傾斜する態様で屈曲した部分である。規制フック係止部６２は、外扉２０の内側面からカバー部材４６の内側面に向けて延在した後、上方に向けて外扉２０の内側面側に傾斜する態様で屈曲した部分である。
【００２３】
図７中の実線で示すように、これら規制フック部６１及び規制フック係止部６２は、カバー部材４６が閉成された状態において互いに対向する態様でオーバーラップしている。従って、この状態のままカバー部材４６を開成させようとした場合、規制フック部６１が規制フック係止部６２に係合し、図８に示すように、その開成移動が阻止されることになる。
【００２４】
一方、図７中の二点鎖線で示すように、ヒンジ軸５３に沿ってカバー部材４６を上方へ移動させると、カバー部材４６の開閉移動に伴う規制フック部６１の移動域が規制フック係止部６２から逸脱することになる。従って、この状態からカバー部材４６を開成させれば、規制フック部６１を規制フック係止部６２に係合させることなくこれを行うことができるようになる。
【００２５】
尚、カバー部材４６を開成させた後、上方へ移動させていた力を除去するとカバー部材４６が下動することになり、カバー部材４６を閉成移動させた際に規制フック部６１が規制フック係止部６２に当接することになる。しかしながら、この場合には、両者の傾斜面の作用により、カバー部材４６を閉成移動させる方向にのみ力を加えれば、カバー部材４６が自動的に上方へ移動することになり、図７中の実線で示す状態に復帰するようになる。
【００２６】
係合手段７０は、図５及び図９に示すように、カバー部材４６の他側縁部に係合フック部７１を設ける一方、左側方枠部材４３に係合フック係止部７２を設けることによって構成したものである。
【００２７】
係合フック部７１は、カバー部材４６の他側縁部から外扉２０の内側面に向けて延在した後に僅かに内方に向けて傾斜し、さらにその傾斜端部が手前側に向けて内方に傾斜する態様で屈曲した部分である。図９に示すように、カバー部材４６と係合フック部７１との境界となる部分には、多数の孔７３が一列に沿って形成してある。これら複数の孔７３によって構成されるミシン線は、係合フック部７１の外表面に外力が作用した場合に、これを内方に向けて容易に変形させるためのものである。
【００２８】
係合フック係止部７２は、図５に示すように、左側方枠部材４３の内方側縁部を外扉２０の内側面から離隔する方向に一旦立ち上げた後、外方に向けて屈曲させ、さらにその屈曲端部を外扉２０の内側面に向けて僅かに外方に屈曲させることによって構成した部分である。左側方枠部材４３の外方側縁部は、外扉２０の内側面から方向に一旦立ち上げた後、外方に向けてほぼ直角方向に屈曲しており、係合フック係止部７２との間にカバー部材４６の他側縁部及び係合フック部７１を挿入するためのスリット７４を画成している。
【００２９】
図５及び図１０に示すように、左側方枠部材４３に構成したスリット７４及び係合フック係止部７２と、カバー部材４６の係合フック部７１とは、上述したヒンジ機構５０を介してカバー部材４６を開閉移動させた場合、係合フック部７１と左側方枠部材４３とが干渉することはなくスリット７４の内部に挿抜されるように構成してある。図５からも明らかなように、スリット７４を介して左側方枠部材４３に挿入したカバー部材４６の係合フック部７１は、その先端の延長線が係合フック係止部７２の先端よりも内方側となり、かつ上述したミシン線を中心として内方に変形した場合に係合フック係止部７２に係合する長さに設定してある。
【００３０】
ロック手段８０は、図５に示すように、カバー部材４６に設けたロックレバー８１と、左側方枠部材４３に形成した係合スリット８２及びロックスリット８３とによって構成したものである。
【００３１】
ロックレバー８１は、カバー部材４６の外側面からキー操作した場合に軸心回りに回転するキーシリンダ８４に固着したもので、キーシリンダ８４を介してカバー部材４６の内側面に取り付けてある。図１１に示すように、ロックレバー８１は、基部８１ａ、挿入部８１ｂ、当接部８１ｃ及びロック部８１ｄを有して構成してある。基部８１ａは、キーシリンダ８４と同等の幅広に構成した部分であり、キーシリンダ８４から径外方向に向けて延在している。挿入部８１ｂ及び当接部８１ｃは、それぞれ基部８１ａよりも幅狭に構成した部分であり、互いに直角となるようにＬ字状に連設してある。これら挿入部８１ｂおよび当接部８１ｃは、基部８１ａがキーシリンダ８４から鉛直下方に向けて延在した場合に、当接部８１ｃが左側方枠部材４３に向けて延在し、かつ左側方枠部材４３に近接する部位に切欠８１ｅを画成する態様で基部８１ａに連設してある。ロック部８１ｄは、当接部８１ｃの先端部から切欠８１ｅの開口を狭める態様で突出した部分である。
【００３２】
このロックレバー８１は、図１１中の実線で示すように、カバー部材４６を閉成した状態でキーシリンダ８４を時計回りに９０°回転させた場合に、左側方枠部材４３の内方側縁部において外扉２０の内側面から離隔する方向に立ち上がった部分（以下、「ロック壁部４３ａ」という）に対して挿入部８１ｂが位置する長さに構成してある。
【００３３】
係合スリット８２及びロックスリット８３は、それぞれロック壁部４３ａに形成した幅狭の切欠であり、それぞれ上下方向に沿って延在している。係合スリット８２は、カバー部材４６を閉成した状態においてキーシリンダ８４を回転した場合にロックレバー８１を挿抜することができ、かつロックレバー８１が水平方向に沿って延在した場合に上縁が当接部８１ｃに当接できるように形成してある。ロックスリット８３は、係合スリット８２よりも上方となる位置に形成してある。このロックスリット８３は、ロックレバー８１が水平方向に沿って延在し、当接部８１ｃが係合スリット８２の上縁に当接した場合に、ロック部８１ｄに対向するように設けてある。
【００３４】
上記のように構成した自動販売機では、カバー部材４６を閉成した状態でロック手段８０のロックレバー８１を水平方向に沿って延在させれば、ロックレバー８１が係合スリット８２を介して左側方枠部材４３に係合することになるため、枠体４５に対してカバー部材４６を開成させることが困難となる（以下、「ロック状態」という）。
【００３５】
従って、通常の使用時においては、カバー部材４６を閉成した後にロック手段８０によってこれをロック状態に保持すれば、仮にバールや金切り鋏等の工具を用いて外扉２０がこじ開けられた場合であっても、収容ボックス４０の内部に収容した紙幣処理装置３０及び硬貨処理装置３１を外部に露出させることはきわめて困難であり、これらの防盗性を著しく向上させることが可能となる。
【００３６】
一方、キー操作によってキーシリンダ８４を回転操作し、ロックレバー８１を係合スリット８２から逸脱させれば、枠体４５に対してカバー部材４６を開成することができるため、紙幣処理装置３０や硬貨処理装置３１に対するメンテナンス性が大きく損なわれる虞れもない。
【００３７】
しかも、上述した自動販売機では、カバー部材４６と左側方枠部材４３との間に係合手段７０を設けるようにしているため、例えば左側方枠部材４３とカバー部材４６との隙間からバール等の工具を差し入れてこれを拡開させようとした場合にも容易にカバー部材４６を開成することができない。すなわち、工具を用いて左側方枠部材４３とカバー部材４６との隙間を拡開させようとした場合には、図１０中の二点鎖線で示すように、係合フック部７１の外表面に作用した外力により、係合フック部７１がミシン線を境界として容易に内方に向けて屈曲するように変形する。この結果、係合フック部７１が係合フック係止部７２に係合し、カバー部材４６が左側方枠部材４３に係合した状態に維持されることになり、両者を引き離すことが最早困難となる。
【００３８】
このとき、図１２に示すように、ロック手段８０においては、左側方枠部材４３とカバー部材４６との隙間が拡開された場合、ロックレバー８１の当接部８１ｃがロック壁部４３ａに当接することになり、以降、左側方枠部材４３とカバー部材４６との隙間が拡開される事態が阻止される。これと同時に、ロック部８１ｄが係合スリット８２の内部に進入することになるため、左側方枠部材４３に対するカバー部材４６の上下動が阻止されることになり、枠体４５に対してカバー部材４６を開成させることが一層困難となる。
【００３９】
さらに、上述した自動販売機では、カバー部材４６によって覆われる位置にカバー部材４６のヒンジ機構５０を設けるようにしているため、より具体的にはカバー部材４６の屈曲部分４６ａによって囲まれる内隅部にヒンジプレート５１とヒンジブラケット５２との連結部分であるヒンジ軸５３を収容させるようにしているため、バールや金切り鋏等の工具を挿入することが困難であるばかりか、外部からヒンジ機構５０を確認することすら容易ではない。これらの結果、外扉２０を開成させた後にヒンジ機構５０を狙う手口に対しても十分な防盗性を確保することが可能となる。
【００４０】
また、既に述べたように、カバー部材４６と上方枠部材４１との間に開成規制手段６０が設けてあり、カバー部材４６を上動させた状態でこれを開成操作しなければ開成することができず、これを無理にこじ開けた場合には、規制フック部６１が規制フック係止部６２に係合し、カバー部材４６が上方枠部材４１に係合した状態に維持されるため、両者を引き離すことが困難となり、防盗性を向上させることに寄与することになる。
【図面の簡単な説明】
【００４１】
【図１】本発明の実施の形態である自動販売機を概念的に示す正面図である。
【図２】図１に示した自動販売機の外扉を開成し、さらにカバー部材を開成した状態を示す斜視図である。
【図３】図１に示した自動販売機の外扉を開成し、カバー部材を閉成した状態を示す斜視図である。
【図４】図１に示した自動販売機に適用する収容ボックスを示す斜視図である。
【図５】図４に示した収容ボックスの断面底面図である。
【図６】図４に示した収容ボックスの要部断面底面図である。
【図７】図４に示した収容ボックスの要部断面側面図である。
【図８】図４に示した収容ボックスにおいてカバー部材の開成移動が規制された状態を示す要部断面側面図である。
【図９】図４に示した収容ボックスの要部を下方から示す要部断面斜視図である。
【図１０】図４に示した収容ボックスの要部断面底面図である。
【図１１】図４に示した収容ボックスのロック手段を示す概念図である。
【図１２】図１１に示したロック手段によってカバー部材のスライドする方向への移動が規制された状態を示す概念図である。
【符号の説明】
【００４２】
２０      外扉
３０      紙幣処理装置
３１      硬貨処理装置
４０      収容ボックス
４１      上方枠部材
４２      右側方枠部材
４２ａ      突出縁部
４３      左側方枠部材
４３ａ      ロック壁部
４４      下方枠部材
４５      枠体
４６      カバー部材
４６ａ      屈曲部分
４６ｂ      上縁部
５０      ヒンジ機構
５１      ヒンジプレート
５２      ヒンジブラケット
５２ａ      迂回部分
５３      ヒンジ軸
６０      開成規制手段
６１      規制フック部
６２      規制フック係止部
７０      係合手段
７１      係合フック部
７２      係合フック係止部
７３      孔
７４      スリット
８０      ロック手段
８１      ロックレバー
８１ａ      基部
８１ｂ      挿入部
８１ｃ      当接部
８１ｄ      ロック部
８１ｅ      切欠
８２      係合スリット
８３      ロックスリット
８４      キーシリンダ
【図１】
2006023930.tif 000003
【図２】
2006023930.tif 000004
【図３】
2006023930.tif 000005
【図４】
2006023930.tif 000006
【図５】
2006023930.tif 000007
【図６】
2006023930.tif 000008
【図７】
2006023930.tif 000009
【図８】
2006023930.tif 000010
【図９】
2006023930.tif 000011
【図１０】
2006023930.tif 000012
【図１１】
2006023930.tif 000013
【図１２】
2006023930.tif 000014